(57)【要約】【課題】着用者に違和感を与えることなく、尿の漏れを防止する。【解決手段】男性用失禁パッド１の下側半分の領域に、下側に向けて突出する平面形状を有する塞き止め用エンボス１０が複数条設けられている。前記塞き止め用エンボス１０は、透液性表面シート３から吸収体４にかけて窪ませた凹溝からなるものである。男性用失禁パッド１の下側半分の領域に弾性伸縮部材１１が配設され、前記男性用失禁パッド１の少なくとも下側半分の領域が、前記弾性伸縮部材１１の収縮力により前記男性用失禁パッド１の中央部が外側に膨出するカップ状に形成されている。【選択図】図１
2018143431.tif 000002
【特許請求の範囲】
【請求項１】
透液性表面シートと不透液性裏面シートとの間に吸収体が介在された男性用吸収性物品において、
前記男性用吸収性物品の下側半分の領域に、下側に向けて突出する平面形状を有する塞き止め用エンボスが複数条設けられていることを特徴とする男性用吸収性物品。
【請求項２】
前記塞き止め用エンボスは、前記透液性表面シートから前記吸収体にかけて窪ませた凹溝からなる請求項１記載の男性用吸収性物品。
【請求項３】
前記男性用吸収性物品の上側半分の領域に、排尿部位から放射状に延びる平面形状を有する液拡散用エンボスが複数条設けられている請求項１、２いずれかに記載の男性用吸収性物品。
【請求項４】
前記液拡散用エンボスは、少なくとも前記吸収体を窪ませた凹溝からなる請求項３記載の男性用吸収性物品。
【請求項５】
前記男性用吸収性物品の下側半分の領域に弾性伸縮部材が配設され、前記男性用吸収性物品の少なくとも下側半分の領域が、前記弾性伸縮部材の収縮力により前記男性用吸収性物品の中央部が外側に膨出するカップ状に形成されている請求項１〜４いずれかに記載の男性用吸収性物品。
【請求項６】
隣り合う前記塞き止め用エンボスの間隔は、前記塞き止め用エンボスの全長に亘ってほぼ等間隔とされるか、前記塞き止め用エンボスの両端部より中央部の方が広く形成されている請求項１〜５いずれかに記載の男性用吸収性物品。
【請求項７】
前記吸収体は、パルプ及び高吸水性樹脂を含み、前記男性用吸収性物品の上側半分より下側半分の方が前記パルプ及び高吸水性樹脂の量を多くしている請求項１〜６いずれかに記載の男性用吸収性物品。
【発明の詳細な説明】
【技術分野】
【０００１】
本発明は、男性用の軽失禁ライナー、失禁パッド等の男性用吸収性物品に係り、詳しくは肌当接面に所定の平面形状を有するエンボスを設けた男性用吸収性物品に関する。
【背景技術】
【０００２】
従来より、残尿などの軽い尿漏れ（５〜１５ｃｃ程度）を吸収する男性用の失禁パッド等が開発されている。
【０００３】
例えば、下記特許文献１では、第１の方向に延びる折り目で、表面シートを内側にして折り返されており、吸収体の外側面には、第１の方向の両端部に、折り目と交差して延びる弾性部材が取り付けられている男性用失禁パッドが開示されている。
【０００４】
また、下記特許文献２では、使用者側から見た平面視において吸収性物品の外形が略逆三角形状に形成され、吸収体が上層吸収体と下層吸収体とを有し、前記上層吸収体が、平面視で略Ｖ字状に形成され、前記上層吸収体に沿って略Ｖ字状に形成され、前記トップシートから下層吸収体に至るチャネルエンボスを有している吸収性物品が開示されている。
【先行技術文献】
【特許文献】
【０００５】
【特許文献１】特開２０１６−１１６７２２号公報
【特許文献２】特開２０１６−４２９４６号公報
【発明の概要】
【発明が解決しようとする課題】
【０００６】
男性用吸収性物品は、排尿部位との関係上、下着の前面の下方側に取り付けられるため、装着状態では肌当接面が上下方向とほぼ平行する。このため、排出された尿は、重力によって下方側へ流れやすく、男性用吸収性物品の下端部から漏れやすいという問題があった。
【０００７】
上記特許文献１記載の男性用失禁パッドでは、弾性部材の収縮力によって男性用失禁パッドを外側に膨らんだカップ状に形成しているが、肌当接面が平坦に形成されているため、排出された尿が重力によって下方側に流れやすく、下端部から漏れやすいとともに、排尿部位より上方側の吸収体を有効活用できていないという問題があった。
【０００８】
また、上記特許文献２記載の吸収性物品は、略Ｖ字状の上層吸収体によって、下着において定まりにくい男性の排尿位置に対応して、左右方向への横漏れや後方側への伝い漏れを防止するというものであるが、上層吸収体によって吸収体の厚い部分を設けると装着時の違和感が生じやすい。また、略Ｖ字状のチャネルエンボスが形成されているため、下方側への尿の流れがある程度は塞き止められると考えられるが、このチャネルエンボスが１条しか設けられていないため、表面を流れる尿や吸収体内を拡散する尿の塞き止め効果が十分でなく、下端部から漏れ出るおそれがあった。
【０００９】
そこで本発明の主たる課題は、着用者に違和感を与えることなく、尿の漏れを防止した男性用吸収性物品を提供することにある。
【課題を解決するための手段】
【００１０】
上記課題を解決するために請求項１に係る本発明として、透液性表面シートと不透液性裏面シートとの間に吸収体が介在された男性用吸収性物品において、
前記男性用吸収性物品の下側半分の領域に、下側に向けて突出する平面形状を有する塞き止め用エンボスが複数条設けられていることを特徴とする男性用吸収性物品が提供される。
【００１１】
上記請求項１記載の発明では、前記男性用吸収性物品の下側半分の領域に、下側に向けて突出する平面形状を有する塞き止め用エンボスが複数条設けられているため、前記塞き止め用エンボスによって下方側に向かう尿が確実に塞き止められ、下端部からの漏れが生じにくくなる。具体的には、排尿部位に排出された尿は、重力によって下方側に向かうが、この際、透液性表面シートの表面を流れるものと、吸収体に吸収された尿が吸収体内を拡散するものとが存在する。前者の透液性表面シートの表面を流れる尿は、塞き止め用エンボスに入り込んで、下方側に向かう流れが塞き止められる。また、後者の吸収体内を拡散する尿は、吸収体が圧密化された前記塞き止め用エンボスで塞き止められる。このようにして、透液性表面シートの表面を流れる尿及び吸収体内を拡散する尿のいずれもが、前記塞き止め用エンボスで塞き止められるため、下端部からの漏れが確実に防止できる。
【００１２】
また、下方側に流れる尿を塞き止めているのは前記塞き止め用エンボスであり、吸収体の厚い部分を形成していないため、装着時の違和感を生じることがない。
【００１３】
請求項２に係る本発明として、前記塞き止め用エンボスは、前記透液性表面シートから前記吸収体にかけて窪ませた凹溝からなる請求項１記載の男性用吸収性物品が提供される。
【００１４】
上記請求項２記載の発明では、前記塞き止め用エンボスを、透液性表面シートから吸収体にかけて窪ませた凹溝によって構成することにより、透液性表面シートの表面を流れる尿が塞き止め用エンボスに入り込みやすくなり、確実に塞き止めることができるとともに、吸収体が圧密化されるため吸収体内を拡散する尿も確実に塞き止めることができる。
【００１５】
請求項３に係る本発明として、前記男性用吸収性物品の上側半分の領域に、排尿部位から放射状に延びる平面形状を有する液拡散用エンボスが複数条設けられている請求項１、２いずれかに記載の男性用吸収性物品が提供される。
【００１６】
上記請求項３記載の発明では、前記男性用吸収性物品の上側半分の領域に、排尿部位から放射状に延びる平面形状を有する液拡散用エンボスが複数条設けられているため、排尿部位に排出された尿が前記液拡散用エンボスに沿って、男性用吸収性物品の上側半分の領域に拡散しやすくなり、排尿部位より上側半分の領域を有効活用できるようになる。
【００１７】
請求項４に係る本発明として、前記液拡散用エンボスは、少なくとも前記吸収体を窪ませた凹溝からなる請求項３記載の男性用吸収性物品が提供される。
【００１８】
上記請求項４記載の発明では、吸収体に吸収された尿が液拡散用エンボスに沿って液拡散できるように、前記液拡散用エンボスは少なくとも吸収体を窪ませることによって、吸収体の高密度領域を形成したものとしている。
【００１９】
請求項５に係る本発明として、前記男性用吸収性物品の下側半分の領域に弾性伸縮部材が配設され、前記男性用吸収性物品の少なくとも下側半分の領域が、前記弾性伸縮部材の収縮力により前記男性用吸収性物品の中央部が外側に膨出するカップ状に形成されている請求項１〜４いずれかに記載の男性用吸収性物品が提供される。
【００２０】
上記請求項５記載の発明では、前記男性用吸収性物品の下側半分の領域に弾性伸縮部材を配設し、この弾性伸縮部材の収縮力により、男性用吸収性物品の少なくとも下側半分の領域が、男性用吸収性物品の中央部が外側に膨出するカップ状に形成されるようにしているため、尿の漏れが確実に防止できるとともに、男性用吸収性物品の上下が判別しやすくなり、下着への取付方向のミスが防止できるようになる。
【００２１】
請求項６に係る本発明として、隣り合う前記塞き止め用エンボスの間隔は、前記塞き止め用エンボスの全長に亘ってほぼ等間隔とされるか、前記塞き止め用エンボスの両端部より中央部の方が広く形成されている請求項１〜５いずれかに記載の男性用吸収性物品が提供される。
【００２２】
上記請求項６記載の発明では、隣り合う塞き止め用エンボス同士を、ほぼ等間隔に配置するか、場所によって異なる間隔で配置している。特に、幅方向中央部の塞き止め用エンボス同士の間隔を、幅方向両端部の間隔より大きく設定することによって、幅方向中央部での尿の堰き止め効果を高めている。
【００２３】
請求項７に係る本発明として、前記吸収体は、パルプ及び高吸水性樹脂を含み、前記男性用吸収性物品の上側半分より下側半分の方が前記パルプ及び高吸水性樹脂の量を多くしている請求項１〜６いずれかに記載の男性用吸収性物品が提供される。
【００２４】
上記請求項７記載の発明では、前記男性用吸収性物品の上側半分より下側半分のパルプ及び高吸水性樹脂の量を多くすることによって、下側半分の吸収容量を高めて、漏れを防止している。
【発明の効果】
【００２５】
以上詳説のとおり本発明によれば、装着時に違和感を感じないとともに、尿の漏れが確実に防止できる男性用吸収性物品が提供できるようになる。
【図面の簡単な説明】
【００２６】
【図１】第１形態例に係る男性用失禁パッド１の展開図である。
【図２】図１のII−II線矢視図である。
【図３】被包シート５で吸収体４を覆う形態例を示す断面図である。
【図４】変形例に係る図１のII−II線矢視図である。
【図５】変形例に係る男性用失禁パッド１の展開図である。
【図６】変形例に係る男性用失禁パッド１の展開図である。
【図７】変形例に係る塞き止め用エンボス１０の平面図である。
【図８】変形例に係る塞き止め用エンボス１０の平面図である。
【図９】装着状態における図１のIX−IX線矢視図である。
【図１０】第２形態例に係る男性用失禁パッド１の展開図である。
【図１１】図１０のXI−XI線矢視図である。
【図１２】第３形態例に係る男性用失禁パッド１の展開図である。
【発明を実施するための形態】
【００２７】
以下、本発明の実施の形態について図面を参照しながら詳述する。
【００２８】
〔第１形態例〕
（男性用失禁パッド１の基本構成）
第１形態例に係る男性用失禁パッド１は、図１及び図２に示されるように、ポリエチレンシート、ポリプロピレンシートなどからなる不透液性裏面シート２と、尿などを速やかに透過させる透液性表面シート３と、これら両シート２，３間に介在された綿状パルプまたは合成パルプなどからなる吸収体４と、この吸収体４の形状保持および拡散性向上のために前記吸収体４の少なくとも肌側面及び非肌側面を覆うクレープ紙又は不織布などからなる被包シート５とから構成されている。また、前記吸収体４の周囲において、前記不透液性裏面シート２と透液性表面シート３との外縁部がホットメルトなどの接着剤やヒートシール、超音波シール等の接着手段によって接合され、外周に吸収体４の存在しないフラップ部が形成されている。
【００２９】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３０】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００３１】
（吸収体４）
前記不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および尿を速やかに拡散させるとともに、一旦吸収した尿の逆戻りを防止するために被包シート５によって覆われるのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体や、２層の不織布層間に高吸水性樹脂を配置してなるポリマーシートを用いてもよい。
【００３２】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３３】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の５〜６０％とするのが望ましい。高吸水性樹脂含有率が５％未満の場合には、十分な吸収能を与えることができず、６０％を超える場合にはパルプ繊維間の絡み合いが無くなり、シート強度が低下し破れや割れ等が発生し易くなる。
【００３４】
前記吸収体４の少なくとも肌側面及び非肌側面は、クレープ紙又は不織布などからなる被包シート５で覆われている。前記被包シート５で吸収体４を覆う方法としては、公知の方法を採用できるが、(1)図３(A)に示されるように、裁断前の連続した吸収体の両面にそれぞれ裁断前の連続した被包シートを積層し、これらの積層体を一体的に所定形状にくり抜く形態、(2)同図３(B)に示されるように、所定の平面形状に積繊した吸収体４の両面にそれぞれ吸収体４より大きな平面形状を有する被包シート５を積層するとともに、吸収体４の外側に延在した部分で被包シート５、５同士を接合し、その周囲を所定形状にくり抜く形態、(3)同図３(C)に示されるように、１枚の被包シート５で吸収体４の側縁を巻き込んで額巻き状に囲繞する形態のいずれかとすることができる。前記吸収体４の平面形状が円形状や逆三角形状などの場合には、上記(1)又は(2)の形態が採用でき、前記吸収体４の平面形状が四角形状などの場合には、上記(3)の形態を採用することもできる。
【００３５】
本例のように、吸収体４を覆う被包シート５を設ける場合には、結果的に透液性表面シート３と吸収体４との間に被包シート５が介在することになる。前記被包シート５がクレープ紙からなる場合には、吸収性に優れる前記被包シート５によって尿を速やかに拡散させるとともに、これら尿の逆戻りを防止するようになる。
【００３６】
前記吸収体４は、男性用失禁パッド１の上側半分より下側半分の方が前記パルプ及び高吸水性樹脂の量を多くするのが好ましい。これによって、下側半分の吸収容量を高めて、吸収体４に吸収保持可能な尿量を増加させることにより、漏れ防止効果を助長することができる。この構成は、吸収体４が上下対称の平面形状からなる場合に特に有効であり、図５(A)に示されるように、上下非対称の平面形状からなる場合、特に下側半分の平面形状が小さい場合には、パルプ及び高吸水性樹脂の量を多くしすぎると吸収体４が厚くなったり、硬くなったりして装着感が低下するおそれがあるので好ましくない。パルプ量及び高吸水性樹脂量の増加割合としては、上側半分と比較して、重量比で１２０％〜２００％、好ましくは１２０％〜１５０％程度である。
【００３７】
前記吸収体４及び被包シート５のいずれか一方又は両方は、白色以外の色、好ましくは黒色や灰色など、比較的暗い明度が小さな色を有しているのが好ましい。本発明は男性用失禁パッドに関するものなので、比較的暗い色を用いることにより男性用として落ち着いた印象を与えるとともに、暗い色の下着に装着したときに目立ちにくくなり、かつ排尿の跡も目立ちにくくなる。着色方法は特に限定されず、適宜の染色方法、或いは着色原料を用いることができる。また、吸収体４及び被包シート５のいずれか一方又は両方に活性炭を含有することにより、着色を施してもよい。これにより、活性炭による消臭効果も付加できるようになる。
【００３８】
前記吸収体４の変形例として、図４に示されるように、中央部より周縁部の方が吸収体４の厚みが薄くなるように形成してもよい。吸収体４の周縁部を相対的に薄く形成するには、実際の製品において、パルプなどの原料をバキュームで吸引して積繊する際、バキューム圧の不均一などが原因で積繊型枠の周縁に近い部分の厚みが薄く形成されたもの、後段で説明する複数条の塞き止め用エンボス１０を施すことにより、隣り合う塞き止め用エンボス１０、１０で区切られた幅が相対的に小さな領域で、吸収体４の圧縮後の復元力が小さく、圧縮による透液性表面シート３の延伸が小さいために、厚みが薄く形成されたも、又はこれらの組み合わせにより成すことができる。
【００３９】
（塞き止め用エンボス１０）
第１形態例に係る男性用失禁パッド１では、図１に示されるように、男性用失禁パッド１の下側半分の領域に、下側に向けて突出する平面形状を有する塞き止め用エンボス１０が複数条設けられている。本男性用失禁パッド１では、男性用失禁パッド１の下側半分の領域にのみ前記塞き止め用エンボス１０が設けられ、上側半分の領域にはエンボスが設けられておらず、表面がほぼ平坦に形成されている。
【００４０】
男性用失禁パッド１の下側半分の領域に前記塞き止め用エンボス１０を設けることによって、以下の効果が奏される。男性用失禁パッド１は、男性の人体の構造上、排尿部位Ｈとの関係で下着の前面の下方側に取り付けられるため、装着状態では、肌当接面が上下方向とほぼ平行して配置される。従って、排尿部位Ｈに排出された尿は、重力によって下方側に向けて拡散する。このとき、重力によって下方側に向けて拡散する尿は、透液性表面シート３の表面を流れるものと、吸収体４に吸収された尿が吸収体４内を拡散するものとがある。前者の透液性表面シート３の表面を流れる尿は、下方側に流れる過程で、塞き止め用エンボス１０の凹溝内に入り込んで、下方側に向かう流れが塞き止められる。また、後者の吸収体４内を拡散する尿は、吸収体４が圧密化された前記塞き止め用エンボス１０で塞き止められる。このようにして、透液性表面シート３の表面を流れる尿及び吸収体４内を拡散する尿のいずれもが、前記塞き止め用エンボス１０で塞き止められるため、下端部からの漏れが確実に防止できるようになる。
【００４１】
さらに、前記塞き止め用エンボス１０は複数条設けられているため、塞き止め用エンボス１０で繰り返し塞き止められることにより、徐々に下方側に拡散する尿量が減少し、より確実に漏れが防止できるようになる。
【００４２】
また、下方側に流れる尿を塞き止めているのは前記塞き止め用エンボス１０であり、従来の男性用吸収性物品のように吸収体の厚い部分を設けていないため、装着時の違和感が大幅に軽減できるようになる。
【００４３】
以下、前記塞き止め用エンボス１０について、更に詳細に説明する。前記塞き止め用エンボス１０は、男性用失禁パッド１の下側半分の領域にのみ設けられ、上側半分の領域には設けられていない。男性用失禁パッド１の下側半分の領域とは、装着状態における男性用失禁パッド１の上下方向の長さを２等分する幅方向中心線Ｌｈより下側（着用者の股間側）の領域のことである。また、男性用失禁パッド１の上側半分の領域とは、前記幅方向中心線Ｌｈより上側（着用者の腹側）の領域のことである。本男性用失禁パッド１では、上側半分の領域には塞き止め用エンボス１０を設けていないため、上側領域への尿の拡散が阻害されることがなく、上側半分の領域を尿吸収領域として有効に利用することができる。
【００４４】
前記塞き止め用エンボス１０は、透液性表面シート３の外面側から吸収体４にかけて一体的に圧搾することにより、透液性表面シート３から吸収体４にかけて窪ませた凹溝である。前記塞き止め用エンボス１０の加工は、公知の方法を用いて行うことができる。例えば、被包シート５で覆われた吸収体４の上面に透液性表面シート３を積層した状態で、前記塞き止め用エンボス１０に対応する凸部が設けられた凸ロールによって、前記透液性表面シート３の上面側からヒートエンボスを施すことにより加工できる。
【００４５】
前記塞き止め用エンボス１０の平面形状は、図１に示されるように、男性用失禁パッド１の上下方向中心線Ｌｖを境に線対称の位置にそれぞれ端縁１０ａ、１０ａが配置されるとともに、前記端縁１０ａ、１０ａを下側に向けて突出する連続線で結んだ形状で形成されている。つまり、複数の塞き止め用エンボス１０、１０…がそれぞれ独立して設けられ、複数の塞き止め用エンボス１０、１０同士で端縁が接続されていない。このため、内側の塞き止め用エンボス１０の端縁を回り込んで外側に拡散しようとする尿を、外側の塞き止め用エンボス１０で塞き止めることができ、より確実に尿漏れが防止できる利点を有する。前記塞き止め用エンボス１０は、男性用失禁パッド１の上下方向中心線Ｌｖとの交点を頂部として、上下方向の下側に突出する形状で形成するのが好ましい。
【００４６】
前記塞き止め用エンボス１０の平面形状は、全体として下側に向けて突出する形状であればよいが、吸収体４の外形にほぼ沿った形状で形成するのが好ましく、排尿部位Ｈを中心として複数の塞き止め用エンボス１０、１０…を同心状に配置するのも好ましい形態である。
【００４７】
前記塞き止め用エンボス１０の平面形状を吸収体４の外形にほぼ沿って形成する場合、吸収体４の外形によって任意に変更することが可能である。前記男性用失禁パッド１の外形は、図１に示される円形の他、図５に示される(A)逆三角形や(B)四角形などとすることができ、この他に楕円形や六角形などとしてもよいし、公知の形状を任意に採用することもできる。このとき、吸収体４の外形は、男性用失禁パッド１の外形にほぼ沿うように形成され、この吸収体４の外形にほぼ沿って塞き止め用エンボス１０が形成されている。具体的には、図１に示されるように、前記吸収体４が円形状に形成される場合、塞き止め用エンボス１０は、略半円形状に形成され、図５(A)に示されるように、前記吸収体４が逆三角形状に形成される場合、塞き止め用エンボス１０は、吸収体４の外形に沿って略Ｖ字状に形成され、同図５(B)に示されるように、前記吸収体４が長方形状に形成される場合、塞き止め用エンボス１０は、上方が開放された略コの字形又はＵ字形に形成されている。
【００４８】
また、前記塞き止め用エンボス１０の平面形状は、吸収体４の外形に沿う形状でなくてもよい。例えば、図５(C)、(D)に示されるように、略逆三角形又は四角形の吸収体４に円弧形に形成してもよい。また、円形の吸収体４に対して、図６(A)に示されるように、男性用失禁パッド１の幅方向に長い半楕円形又は円弧形に形成してもよいし、同図６(B)に示されるように、上下方向中心線Ｌｖから両側の斜め上方に向けて、曲率半径の大きな曲線又は直線が延びる略Ｖ字形に形成してもよい。図６(A)に示されるように、横長の平面形状で形成する場合、上下方向に突出する長さｃに対する幅方向に突出する長さｄの比（ｄ／ｃ）は、１．１〜１．５程度とするのが好ましい。これにより、下側よりも幅方向への拡散が促され、下方からの漏れが防止できる。
【００４９】
前記塞き止め用エンボス１０は、図１及び図６に示されるように、塞き止め用エンボス１０の端縁１０ａと、上下方向中心線Ｌｖの交点とを結ぶ仮想線Ｓと上下方向中心線Ｌｖとの成す角αが４５°以上、好ましくは４５°〜８０°、より好ましくは４５°〜６０°とするのがよい。これにより、塞き止め用エンボス１０で塞き止められた尿が、該塞き止め用エンボス１０に沿って重力によって急速に中央部に集中するのが防止でき、中央部からの漏れが生じにくくなる。
【００５０】
前記塞き止め用エンボス１０は、排尿部位Ｈを中心に外方側に複数条、好ましくは２条〜６条、図示例では３条形成されている。これら複数の塞き止め用エンボス１０…は、互いに接続することなく、独立して配置されている。
【００５１】
図１に示されるように、隣り合う塞き止め用エンボス１０、１０の間隔ａは、５〜３０ｍｍ、特に７〜１５ｍｍが好ましい。この間隔は、塞き止め用エンボス１０の全長に亘ってほぼ等間隔としてもよいし、部分的に異なっていてもよい。例えば、男性用失禁パッド１の内側で隣り合うエンボス１０、１０の間隔と外側で隣り合うエンボス１０、１０の間隔とが異なるようにしてもよいし、図７に示されるように、塞き止め用エンボス１０が延びる方向に沿って間隔が狭い部分と広い部分とを設けるようにしてもよいし、これらを組み合わせてもよい。
【００５２】
図７の形態例では、塞き止め用エンボス１０の中央部（上下方向中心線Ｌｖとの交差部分）における間隔の方が、塞き止め用エンボス１０の両端部における間隔より広くなるように形成されている。すなわち、塞き止め用エンボス１０の密度が中央部で相対的に低く、両端部で相対的に高くなっている。これによって、中央部では、重力によって下方側に流れやすい尿が確実に塞き止められ、より確実に漏れが防止できるとともに、両端部では、尿がより広い範囲に拡散でき、尿の吸収容量が確保できるようになる。
【００５３】
図１に示されるように、最も外側に配置される塞き止め用エンボス１０と吸収体４の端縁との最小離間距離ｂは、５〜２０ｍｍとするのが好ましい。５ｍｍより小さいと尿の漏れが生じやすく、２０ｍｍより大きいと複数の塞き止め用エンボス１０が中央部に集中するようになるので好ましくない。
【００５４】
前記塞き止め用エンボス１０の端縁１０ａは、幅方向中心線Ｌｈの近傍に設けるのが好ましい。即ち、塞き止め用エンボス１０は、男性用失禁パッド１の下側半分のほぼ全体に亘って設けられるようにするのが好ましい。塞き止め用エンボス１０の端縁１０ａと幅方向中心線Ｌｈとのパッド上下方向の離間距離は、０〜２０ｍｍ、好ましくは３〜１０ｍｍとするのがよい。図１に示される例では、端縁１０ａと幅方向中心線Ｌｈとの離間距離が、全ての塞き止め用エンボス１０でほぼ同等に形成されているが、内側に配置される塞き止め用エンボス１０ほど徐々に前記離間距離が大きく又は小さくなるように形成してもよい。内側の塞き止め用エンボス１０ほど前記離間距離が大きくなるように形成した場合には、内側の塞き止め用エンボス１０の端縁から外側に拡散した尿を外側の塞き止め用エンボス１０で塞き止めやすくなる。一方、内側の塞き止め用エンボス１０ほど前記離間距離が小さくなるように形成した場合には、内側でより確実に尿が塞き止められ、外側の塞き止め用エンボス１０による圧搾長さが短くて済むため、硬くなりにくく、装着感が有利なものとなる。
【００５５】
前記塞き止め用エンボス１０の溝幅は、１〜４ｍｍ、好ましくは１．５〜３ｍｍとするのがよい。溝幅が１ｍｍより小さい場合は充分な塞き止め効果が得られない。溝幅が４を超えると硬さが出て、装着感が悪化するおそれがある。溝幅は一定でもよいし、塞き止め効果を高めるため塞き止め用エンボス１０の中央部で相対的に太くするなど、部分的に異なっていてもよい。
【００５６】
また、前記複数条の塞き止め用エンボス１０、１０…は、全て同じ形状である必要はなく、部分的に異なる形状で形成してもよい。例えば、図５(A)又は図６(B)に示されるように、塞き止め用エンボス１０が全体として略Ｖ字形に形成される場合、塞き止められた尿が中央部に集中しやすく、この中央部を通じて尿漏れが発生するおそれがあるため、図８に示されるように、複数条の塞き止め用エンボス１０のうち一部の先端をＷ形状に形成するのが好ましい。これにより、重力によって先端側に集中する体液を２つの突部に分散させることができ、尿の漏れが防止できるようになる。Ｖ形状の先端を持つものと、Ｗ形状の先端を持つものとを交互に配置するのが、より好ましい。
【００５７】
前記男性用失禁パッド１は、図１及び図５に示されるように、下側半分の領域におけるフラップ部に弾性伸縮部材１１が伸張状態で固定され、これによって、図９に示されるように、前記弾性伸縮部材１１の収縮力が作用した状態で、男性用失禁パッド１の少なくとも下側半分の領域が、前記弾性伸縮部材１１の収縮力により男性用失禁パッド１の中央部が外側に膨出するカップ状に形成されているのが好ましい。特に、図４に示されるように、周縁部の厚みが相対的に薄く形成された吸収体４の場合には、前記弾性伸縮部材１１の収縮力によって吸収体４の外周部が変形しやすくなっており、男性用失禁パッド１の下側半分の領域がカップ状に形成されやすくなる。
【００５８】
前記弾性伸縮部材１１の収縮力により男性用失禁パッド１がカップ状に形成されることによって、排出された尿が重力により下方側へ流れる速度が低下し、尿の漏れが防止できるとともに、男性用失禁パッド１を取り出して下着に装着するときに上下を判別しやすくなり、下着への取付方向のミスが減少する。
【００５９】
前記弾性伸縮部材１１の配設方向としては、図１及び図５に示されるように、男性用失禁パッド１の外形にほぼ沿う方向が好ましい。図１に示されるように、円形の外形を有する男性用失禁パッド１では、下端のフラップ部に円形の外形線とほぼ平行する円弧状又は男性用失禁パッド１の幅方向に沿う直線状（図示例）に配置することができる。図５(A)に示される略逆三角形状の男性用失禁パッド１では、下側半分の領域の両側のフラップ部にそれぞれ配置することができ、図５(B)に示される四角形状の男性用失禁パッド１では、下側半分の領域の下端及び両側のフラップ部にそれぞれ配置することができる。
【００６０】
前記弾性伸縮部材１１は、フラップ部のみに配置してもよいし、一部又は全部が吸収体４の側縁と重なる位置に配置してもよい。前記弾性伸縮部材１１は、１条又は複数条で配置することができる。
【００６１】
前記弾性伸縮部材１１としては、糸ゴムやテープ状伸縮部材等を用いることができる。固定時の伸長率（自然長を１００％としたときの値を意味する。）は、１２０〜３００％程度とするのが好ましい。
【００６２】
〔第２形態例〕
次いで、第２形態例に係る男性用失禁パッド１Ａについて、図１０及び図１１に基づいて説明する。なお、説明の簡略化のため、上記第１形態例と同様の構成については、同一の符号を付して、その詳細な説明を省略する。
【００６３】
第２形態例に係る男性用失禁パッド１Ａは、図１０及び図１１に示されるように、下側半分の領域に上記第１形態例に係る男性用失禁パッド１と同様の塞き止め用エンボス１０が設けられるとともに、上側半分の領域に、排尿部位Ｈから放射状に延びる平面形状を有する液拡散用エンボス１２が複数条設けられている。
【００６４】
前記液拡散用エンボス１２を設けることによって、排尿部位Ｈにおいて吸収体４に吸収された尿が、毛管作用によって圧密化された液拡散用エンボス１２に沿って男性用失禁パッド１Ａの上側半分の領域に拡散しやすくなり、排尿部位Ｈより上側半分の領域を有効活用できるようになる。また、排尿部位Ｈから重力によって下側に流れやすい尿を上側に導くことによって、下側領域に流れる尿量が低減でき、尿の漏れが防止できる。
【００６５】
前記液拡散用エンボス１２は、排尿部位Ｈの範囲内に、全ての液拡散用エンボス１２が交差する交点１２ａが存在するとともに、この交点１２ａから放射状に延びている。前記液拡散用エンボス１２が延びる方向は、前記交点１２ａから男性用失禁パッド１Ａの幅方向及び上側方向のいずれか一方又は両方の方向であり、前記交点１２ａより下側の方向には延びていない。
【００６６】
前記液拡散用エンボス１２は、エンボスに沿って尿が拡散しやすいように、連続する直線であるのが望ましく、エンボスに沿って拡散した尿が吸収体４の外縁から漏れ出ないように、外方側端縁が吸収体４の外縁より内側に存在しているのが好ましい。液拡散用エンボス１２の端縁と吸収体４の外縁との最小離間長さｅは任意であるが、３〜１０ｍｍであるのが好ましい。
【００６７】
前記液拡散用エンボス１２は、男性用失禁パッド１Ａの上側半分の領域にのみ設けられ、下側半分の領域には設けられていない。仮に、液拡散用エンボス１２が排尿部位Ｈから下側半分の領域に設けられているとすると、ただでさえ重力によって下側に流れやすい尿を液拡散用エンボス１２によって更に下側に流れやすくしてしまい、下側半分の吸液量が更に増加し、漏れが発生しやすくなるため好ましくない。
【００６８】
前記液拡散用エンボス１２は、下側半分に形成された塞き止め用エンボス１０と接続することなく、塞き止め用エンボス１０と所定の間隔をあけて設けられている。これにより、液拡散用エンボス１２に沿って拡散した尿が塞き止め用エンボス１０を通じて下側半分の領域に伝搬することなく、上側半分の領域に吸収保持されるようになる。前記液拡散用エンボス１２と塞き止め用エンボス１０との最小離間距離ｆは、２ｍｍ以上、好ましくは５ｍｍ以上とするのがよい。
【００６９】
前記液拡散用エンボス１２は、前記交点１２ａから外方側に延びる線が２本〜９本、好ましくは３本〜７本程度とするのがよい。前記液拡散用エンボス１２は、男性用失禁パッド１Ａの上下方向中心線Ｌｖを境に左右対称に配置するのが好ましい。
【００７０】
前記液拡散用エンボス１２は、図１１に示されるように、吸収体４の肌当接面側からの圧搾により、少なくとも吸収体４を窪ませた凹溝である。前記液拡散用エンボス１２は、吸収体４のみを圧搾して形成したものでもよいし、図示例のように、吸収体４を被包シート５で覆い、これら被包シート５及び吸収体４を一体的に圧搾して形成したものでもよいし、更に上面側に透液性表面シート３を積層し、透液性表面シート３、被包シート５及び吸収体４を一体的に圧搾して形成したものでもよい。
【００７１】
〔第３形態例〕
次に、第３形態例に係る男性用失禁パッド１Ｂについて、図１２に基づいて説明する。なお、説明の簡略化のため、上記第１形態例又は第２形態例と同様の構成については、同一の符号を付して、その詳細な説明を省略する。
【００７２】
第３形態例に係る男性用失禁パッド１Ｂは、上側半分の領域に上記液拡散用エンボス１２が設けられ、下側半分の領域にはエンボスが設けられておらず、表面がほぼ平坦に形成されている。
【００７３】
前記液拡散用エンボス１２を設けることにより、男性用失禁パッド１Ｂの上側半分への液拡散が促進されるため、重力によって下側半分に拡散する尿量が減少し、下端部からの漏れが防止できる。
【００７４】
また、下側半分にエンボスが設けられていないため、エンボスによる下側半分の柔軟性の低下が生じなくなり、柔軟性が維持され、装着感が向上する。
【符号の説明】
【００７５】
１・１Ａ・１Ｂ…男性用失禁パッド、２…不透液性裏面シート、３…透液性表面シート、４…吸収体、５…被包シート、１０…塞き止め用エンボス、１１…弾性伸縮部材、１２…液拡散用エンボス
【図１】
2018143431.tif 000003
【図２】
2018143431.tif 000004
【図３】
2018143431.tif 000005
【図４】
2018143431.tif 000006
【図５】
2018143431.tif 000007
【図６】
2018143431.tif 000008
【図７】
2018143431.tif 000009
【図８】
2018143431.tif 000010
【図９】
2018143431.tif 000011
【図１０】
2018143431.tif 000012
【図１１】
2018143431.tif 000013
【図１２】
2018143431.tif 000014